(57)【要約】【課題】部品点数の低減を図ることができる感光体ユニット、および、その感光体ユニットを備える画像形成装置を提供すること。【解決手段】  表面に静電潜像が形成される感光ドラム１１と、感光ドラム１１に接触する感光ドラム１１に対する接触方向に移動可能な１次ローラ３６とを備える感光体ユニット９において、１次ローラ３６の上方に配置される第１フレーム５２に第１ガイド溝６４を形成し、１次ローラ３６の下方に配置される第２フレーム６７に第２ガイド溝７７を形成し、第１ガイド溝６４と、第２ガイド溝７７とによって、１次ローラ３６の移動を案内する。【選択図】図６
2013182009.tif 000002
【特許請求の範囲】
【請求項１】
表面に静電潜像が形成されるように構成される感光体と、
前記感光体の長手方向と直交する方向において前記感光体の表面に接触されるとともに、前記感光体に対する接触方向において移動可能に構成され、前記感光体の表面に付着した付着物を回収するように構成される第１回収部材と、
前記長手方向および前記接触方向の両方に直交する直交方向の一方側において前記第１回収部材に対向配置される第１フレームと、
前記直交方向の他方側において前記第１回収部材に対向配置される第２フレームと
を備え、
前記第１フレームは、前記第１回収部材の移動を案内するように構成される第１案内部を備え、
前記第２フレームは、前記第１案内部とともに前記第１回収部材の移動を案内するように構成される第２案内部を備えることを特徴とする、感光体ユニット。
【請求項２】
前記第２フレームは、前記感光体の表面の電荷を除去するための光を前記感光体の表面に導くように構成される導光部材を備えることを特徴とする、請求項１に記載の感光体ユニット。
【請求項３】
前記第１回収部材の表面に接触され、前記第１回収部材の表面に付着した付着物を回収するように構成される第２回収部材と、
前記第２回収部材の表面に接触され、前記第２回収部材の表面に付着した付着物を掻き取るように構成される掻取部材と、
前記第２回収部材と前記掻取部材とを支持する第３フレームと
をさらに備えることを特徴とする、請求項１または２に記載の感光体ユニット。
【請求項４】
前記第３フレームは、前記第２フレームとともに前記掻取部材によって掻き取られた付着物を収容するように構成される収容部を区画することを特徴とする、請求項３に記載の感光体ユニット。
【請求項５】
前記第３フレームは、前記第２フレームに揺動可能に支持されていることを特徴とする、請求項３または４に記載の感光体ユニット。
【請求項６】
請求項１ないし５のいずれか一項に記載の感光体ユニットを備えることを特徴とする、画像形成装置。
【請求項７】
表面に静電潜像が形成されるように構成される感光体と、
前記感光体の表面に付着した付着物を回収するように構成される回収部材と、
前記感光体の表面の電荷を除去するための光を前記感光体の表面に導くように構成される導光部材と、
前記感光体に対して位置固定され、前記導光部材を支持する固定フレームと、
前記回収部材を支持し、前記固定フレームに対して相対移動可能に支持される移動フレームと
を備えることを特徴とする、感光体ユニット。
【請求項８】
請求項７に記載の感光体ユニットを備えることを特徴とする、画像形成装置。
【請求項９】
表面に静電潜像が形成されるように構成される感光体と、
前記感光体の長手方向と直交する方向において前記感光体の表面に接触されるとともに、前記感光体に対する接触方向において移動可能に構成され、前記感光体の表面に付着した付着物を回収するように構成される第１回収部材と、
前記長手方向および前記接触方向の両方に直交する直交方向の一方側において前記第１回収部材に対向配置され、前記感光体に対して位置固定される第１フレームと、
前記直交方向の他方側において前記第１回収部材に対向配置され、前記感光体に対して位置固定される第２フレームと
を備え、
前記第１フレームは、前記感光体側および前記第２フレーム側が開放されるように前記接触方向に沿って切り欠かれることにより形成され、前記第１回収部材の移動を案内するように構成される第１案内部を備え、
前記第２フレームは、前記感光体の反対側および前記第１フレーム側が開放されるように前記接触方向に沿って切り欠かれることにより形成され、前記第１回収部材の移動を案内するように構成される第２案内部を備え、
前記第１案内部および前記第２案内部によって、前記接触方向に長い案内部が区画され、
前記第１回収部材は、前記案内部に収容される
ことを特徴とする、感光体ユニット。
【請求項１０】
前記第２フレームは、前記感光体側に向かって開放される凹部を備え、
前記凹部に嵌合され、前記感光体の表面の電荷を除去するための光を前記感光体の表面に導くように構成される導光部材を備えることを特徴とする、請求項９に記載の感光体ユニット。
【請求項１１】
前記第２フレームに対して一端側が揺動可能に支持される第３フレームを備え、
前記第３フレームは、他端側に、
前記第１回収部材の表面に接触され、前記第１回収部材の表面に付着した付着物を回収するように構成される第２回収部材と、
前記第２回収部材の表面に接触され、前記第２回収部材の表面に付着した付着物を掻き取るように構成される掻取部材と
を備えていることを特徴とする請求項９または１０に記載の感光体ユニット。
【請求項１２】
前記第１回収部材と、前記第２回収部材とを、相対回転可能に支持し、それらを接触状態に保つように連結する連結部材を備えることを特徴とする、請求項１１に記載の感光体ユニット。
【請求項１３】
請求項９ないし１２のいずれか一項に記載の感光体ユニットを備えることを特徴とする、画像形成装置。
【発明の詳細な説明】
【技術分野】
【０００１】
本発明は、電子写真方式が採用される画像形成装置、および、この画像形成装置に備えられる感光体ユニットに関する。
【背景技術】
【０００２】
電子写真方式の画像形成装置として、静電潜像が形成される感光体を有する感光体ユニットを着脱自在に備えるプリンタが知られている。
【０００３】
例えば、各色に対応する複数の感光ドラムと、複数の感光ドラムに対応し、その表面上の異物を捕捉する複数の１次ローラとを備えるタンデム型感光体ユニットが着脱自在に装着されるプリンタが提案されている（例えば、特許文献１参照）。
【０００４】
このプリンタでは、１次ローラの軸方向両端部が、１対の１次軸受部材によって回転可能に支持されている。そして、１次ローラは、１対のコイルばねによって、１対の１次軸受部材が感光ドラムへ向けて付勢されることにより、感光ドラムへ向けて付勢されている。
【先行技術文献】
【特許文献】
【０００５】
【特許文献１】特開２０１０−２６２０９７号公報
【発明の概要】
【発明が解決しようとする課題】
【０００６】
しかるに、上記した特許文献１に記載の感光体ユニットでは、コイルばねによって１次軸受部材を正確に感光ドラムへ向けて付勢するために、コイルばねの付勢方向を案内する１対の案内部材を設ける必要がある。
【０００７】
そのため、感光体ユニットの部品点数が増加するという不具合がある。
【０００８】
そこで本発明の目的は、部品点数の低減を図ることができる感光体ユニット、および、その感光体ユニットを備える画像形成装置を提供することにある。
【課題を解決するための手段】
【０００９】
（１）上記目的を達成するため、第１の発明は、感光体ユニットであって、表面に静電潜像が形成されるように構成される感光体と、感光体の長手方向と直交する方向において感光体の表面に接触されるとともに、感光体に対する接触方向において移動可能に構成され、感光体の表面に付着した付着物を回収するように構成される第１回収部材とを備える。また、感光体ユニットは、長手方向および接触方向の両方に直交する直交方向の一方側において第１回収部材に対向配置される第１フレームと、直交方向の他方側において第１回収部材に対向配置される第２フレームとを備える。
【００１０】
第１フレームは、第１回収部材の移動を案内するように構成される第１案内部を備え、第２フレームは、第１案内部とともに第１回収部材の移動を案内するように構成される第２案内部を備える。
【００１１】
このような構成によれば、第１フレームの第１案内部と、第２フレームの第２案内部とによって、第１回収部材の移動を案内することができる。
【００１２】
そのため、第１回収部材の移動を案内するための部材を別途設けることなく、第１フレームおよび第２フレームを利用して第１回収部材の移動を案内できる。
【００１３】
その結果、部品点数の低減を図ることができる。
（２）また、第２フレームは、感光体の表面の電荷を除去するための光を感光体の表面に導くように構成される導光部材を備えてもよい。
【００１４】
このような構成によれば、導光部材を備える第２フレームを利用して、第１回収部材を案内することができる。
【００１５】
そのため、導光部材を支持する部材と、第１回収部材の移動を案内する部材とを別々に設ける構成と比べて、部品点数の低減を図ることができる。
（３）また、感光体ユニットは、第１回収部材の表面に接触され、第１回収部材の表面に付着した付着物を回収するように構成される第２回収部材と、第２回収部材の表面に接触され、第２回収部材の表面に付着した付着物を掻き取るように構成される掻取部材と、第２回収部材と掻取部材とを支持する第３フレームとをさらに備えてもよい。
【００１６】
このような構成によれば、第１回収部材の表面の付着物を、第２回収部材によって回収し、第２回収部材の表面の付着物を、掻取部材によって回収することができる。
【００１７】
そのため、第１回収部材の表面に付着した付着物が、再度、感光体に付着することを防止することができる。
【００１８】
その結果、第１回収部材によって、感光体の表面に付着した付着物を確実に回収することができる。
（４）また、第３フレームは、第２フレームとともに掻取部材によって掻き取られた付着物を収容するように構成される収容部を区画してもよい。
【００１９】
このような構成によれば、第３フレームが第２フレームに組み付けられることで収容部が区画される。
【００２０】
そのため、第２フレームに第３フレームを組み付けるだけで、収容部を効率よく構成することができ、収容部を構成するための部材を別途設けることなく、第２フレームおよび第３フレームを利用して収容部を区画することができる。
（５）また、第３フレームは、第２フレームに揺動可能に支持されてもよい。
【００２１】
このような構成によれば、第２回収部材および掻取部材を、第１回収部材の移動に追従させることができる。
【００２２】
そのため、第２回収部材および掻取部材によって、第１回収部材の表面に付着した付着物を確実に回収することができる。
【００２３】
また、第３フレームが第２フレームに対して揺動するので、第２フレームを感光体に対して位置固定することができる。
【００２４】
これにより、第２回収部材が、第１回収部材に追従することで、第３フレームが揺動しても、第２フレームを感光体に対して位置固定しておけば、導光部材も、感光体に対して位置固定することができる。
【００２５】
従って、導光部材によって、電荷を除去するための光を確実に感光体の表面に導くことができる。
（６）本発明の画像形成装置は、上記の感光体ユニットを備える。
【００２６】
このような構成によれば、画像形成装置は、部品点数の低減を図った感光体ユニットを備えている。
【００２７】
そのため、画像形成装置の部品点数の低減を図ることができる。
（７）本発明の感光体ユニットは、表面に静電潜像が形成されるように構成される感光体と、感光体の表面に付着した付着物を回収するように構成される回収部材と、感光体の表面の電荷を除去するための光を感光体の表面に導くように構成される導光部材とを備える。また、感光体ユニットは、感光体に対して位置固定され、導光部材を支持する固定フレームと、回収部材を支持し、固定フレームに対して相対移動可能に支持される移動フレームとを備える。
【００２８】
このような構成によれば、回収部材を支持する移動フレームが、導光部材を支持する固定フレームに対して相対移動可能に支持されている。
【００２９】
一方、回収部材と導光部材とが、同じフレームに取り付けられると、回収部材が感光体の回転に追従したときに、それに合わせて導光部材も追従し、導光部材を感光体に対して位置固定することができない。
【００３０】
しかし、この感光体ユニットでは、導光部材は、感光体に対して位置固定される固定フレームに支持されている。
【００３１】
そのため、移動フレームの相対移動によって、回収部材を、感光体の回転に対して追従させることができながら、導光部材を感光体に対して位置固定することができる。
【００３２】
その結果、回収部材によって、感光体の表面に付着した付着物を回収でき、導光部材によって、電荷を除去するための光を確実に感光体の表面に導くことができる。
（８）本発明の画像形成装置は、上記の感光体ユニットを備える。
【００３３】
このような構成によれば、画像形成装置は、回収部材によって、感光体の表面に付着した付着物を確実に回収できながら、導光部材によって、電荷を除去するための光を確実に感光体の表面に導くことができ、感光体の表面の電荷を均一に除去することができる。
（９）本発明の感光体ユニットは、表面に静電潜像が形成されるように構成される感光体と、感光体の長手方向と直交する方向において感光体の表面に接触されるとともに、感光体に対する接触方向において移動可能に構成され、感光体の表面に付着した付着物を回収するように構成される第１回収部材とを備える。また、感光体ユニットは、長手方向および接触方向の両方に直交する直交方向の一方側において第１回収部材に対向配置され、感光体に対して位置固定される第１フレームと、直交方向の他方側において第１回収部材に対向配置され、感光体に対して位置固定される第２フレームとを備える。
【００３４】
第１フレームは、感光体側および第２フレーム側が開放されるように接触方向に沿って切り欠かれることにより形成され、第１回収部材の移動を案内するように構成される第１案内部を備え、第２フレームは、感光体の反対側および第１フレーム側が開放されるように接触方向に沿って切り欠かれることにより形成され、第１回収部材の移動を案内するように構成される第２案内部を備え、第１案内部および第２案内部によって、接触方向に長い案内部が区画され、第１回収部材は、案内部に収容される。
【００３５】
このような構成によれば、案内部が接触方向に沿って長く区画されているため、第１回収部材を、接触方向において移動可能に、案内部に収容することができる。
【００３６】
そのため、第１回収部材の移動を案内するための部材を別途設けることなく、第１フレームおよび第２フレームに形成される切り欠きから区画される案内部を利用して第１回収部材の接触方向における移動を案内できる。
【００３７】
その結果、部品点数の低減を図ることができながら、接触方向における第１回収部材の安定した移動を確保することができる。
（１０）また、第２フレームは、感光体側に向かって開放される凹部を備え、凹部に嵌合され、感光体の表面の電荷を除去するための光を感光体の表面に導くように構成される導光部材を備えてもよい。
【００３８】
このような構成によれば、凹部は第２フレームに一体的に形成される。
【００３９】
そのため、導光部材を支持するための部材を別途設ける場合と比べて、部品点数の低減を図ることができながら、第２フレームによって、導光部材を確実に支持することができる。
（１１）また、感光体ユニットは、第２フレームに対して一端側が揺動可能に支持される第３フレームを備え、第３フレームは、他端側に、第１回収部材の表面に接触され、第１回収部材の表面に付着した付着物を回収するように構成される第２回収部材と、第２回収部材の表面に接触され、第２回収部材の表面に付着した付着物を掻き取るように構成される掻取部材とを備えてもよい。
【００４０】
このような構成によれば、第１フレームおよび第２フレームを感光体に対して位置固定させた状態で、第３フレームを揺動させることができる。
【００４１】
そのため、第１フレームの第１案内部、および、第２フレームの第２案内部から区画される案内部を位置固定させることができ、案内部に収容される第１回収部材の安定した移動を確保することができる。
【００４２】
しかも、第３フレームの他端側に備えられる第２回収部材と掻取部材とを第１回収部材の揺動に対して、追従させることができる。
（１２）また、感光体ユニットは、第１回収部材と、第２回収部材とを、相対回転可能に支持し、それらを接触状態に保つように連結する連結部材を備えてもよい。
【００４３】
このような構成によれば、第１回収部材と、第２回収部材とは、連結部材により常に接触状態に保たれるとともに、第２回収部材は、掻取部材とともに第３フレームに掻取部材と接触するように支持されている。
【００４４】
そのため、常に、第１回収部材は第２回収部材と接触し、第２回収部材は掻取部材と接触している。
【００４５】
その結果、第１回収部材の表面に付着した付着物を、確実に掻取部材により掻き取ることができる。
（１３）本発明の画像形成装置は、上記の感光体ユニットを備える。
【００４６】
このような構成によれば、画像形成装置は、部品点数の低減を図りながら、感光体の回転に追従し、第１回収部材が接触方向において移動しても、確実に感光体の表面に付着した付着物を回収することができる。
【発明の効果】
【００４７】
本発明の感光体ユニットによれば、第１フレームおよび第２フレームを利用して第１回収部材の移動を案内することができ、部品点数の低減を図ることができる。
【００４８】
また、回収部材によって、感光体の表面に付着した付着物を回収でき、導光部材によって、電荷を除去するための光を確実に感光体の表面に導くことができる。
【図面の簡単な説明】
【００４９】
【図１】図１は、本発明の画像形成装置の一実施形態としてのプリンタを示す断面図である。
【図２】図２は、図１に示す感光体ユニットを左上側から見た斜視図である。
【図３】図３は、図２に示すサブユニットの正面図を示す。
【図４】図４は、図３に示すサブユニットのＡ−Ａ断面図である。
【図５】図５は、図３に示すサブユニットにおいて、１次ローラ、２次ローラ、および、それらを支持する軸受部材の関係を示す説明図である。
【図６】図６は、図３に示すサブユニットのＢ−Ｂ断面図である。
【図７】図７は、図３に示すサブユニットのＣ−Ｃ断面図である。
【図８】図８は、図３に示すサブユニットの構成を説明するための説明図であって、（ａ）は、左上側から見た斜視図、（ｂ）は、右下側から見た斜視図である。なお、図８では、便宜的に第１ユニットを省略している。
【図９】図９は、サブユニットの動作を説明する図３のＡ−Ａ断面に対応する説明図であって、（ａ）は、１次ローラが、感光ドラムに向かって、前側へ移動した状態を示し、（ｂ）は、１次ローラが、感光ドラムから離れるように、後側へ移動した状態を示す。
【図１０】図１０は、サブユニットの動作を説明する図３のＣ−Ｃ断面に対応する説明図であって、（ａ）は、１次ローラが、感光ドラムに向かって、前側へ移動した状態を示し、（ｂ）は、１次ローラが、感光ドラムから離れるように、後側へ移動した状態を示す。
【発明を実施するための形態】
【００５０】
１．プリンタの全体構成
図１に示すように、画像形成装置の一例としてのプリンタ１は、横置きタイプのダイレクトタンデム型カラーレーザプリンタである。
【００５１】
なお、以下の説明において、方向について言及する場合には、プリンタ１を水平に載置した状態を基準として、図１における紙面右側（フロントカバー４が設けられている側）を前側とし、図１における紙面左側（その反対側）を後側とする。また、プリンタ１を前側から見たときを左右の基準とする。すなわち、図１の紙面手前側が左側であり、紙面奥側が右側である。
【００５２】
プリンタ１は、略ボックス形状の本体ケーシング２を備えている。本体ケーシング２の前端部には、本体ケーシング２の内外を連通する本体開口部３が形成されている。また、本体ケーシング２の前壁には、本体開口部３を開閉するフロントカバー４が設けられている。
【００５３】
また、プリンタ１は、本体ケーシング２内において、スキャナユニット５、プロセスユニット６、転写ユニット７および定着ユニット８を備えている。
【００５４】
スキャナユニット５は、本体ケーシング２の上端部に配置されている。スキャナユニット５は、プロセスユニット６の感光ドラム１１（後述）に向かって、画像データに基づいてレーザービームを出射し（図１破線参照）、感光ドラム１１（後述）を露光する。
【００５５】
プロセスユニット６は、スキャナユニット５の下側であって、転写ユニット７の上側に配置されている。プロセスユニット６は、前後方向にスライド可能であり、本体開口部３を介して本体ケーシング２外に引き出し可能に構成されている。プロセスユニット６は、１つの感光体ユニット９と、複数（４つ）の現像カートリッジ１０とを備えている。
【００５６】
感光体ユニット９は、複数（４つ）の感光体の一例としての感光ドラム１１と、複数（４つ）のスコロトロン型帯電器１２とを備えている。
【００５７】
感光ドラム１１は、左右方向に長手の円筒形状に形成されている。
【００５８】
複数のスコロトロン型帯電器１２のそれぞれは、複数の感光ドラム１１のうちの１つに対応して設けられている。スコロトロン型帯電器１２は、対応する感光ドラム１１の後上側に間隔を隔てて対向配置されている。
【００５９】
複数の現像カートリッジ１０のそれぞれは、複数の感光ドラム１１のうちの１つに対応して設けられている。現像カートリッジ１０は、対応する感光ドラム１１の上側において、感光体ユニット９に着脱自在に支持されている。また、現像カートリッジ１０は、現像ローラ１３を備えている。
【００６０】
現像ローラ１３は、現像カートリッジ１０の下端部において、後側から露出されるように回転可能に支持されている。また、現像ローラ１３は、感光ドラム１１に対して上側から接触されている。
【００６１】
なお、現像カートリッジ１０は、現像ローラ１３にトナーを供給する供給ローラ１４と、現像ローラ１３に供給されたトナーの厚みを規制する層厚規制ブレード１５とを備え、それらの上側の空間には、各色に対応するトナーが収容されている。
【００６２】
転写ユニット７は、プロセスユニット６の下側に配置されている。転写ユニット７は、駆動ローラ１６、従動ローラ１７、搬送ベルト１８、ベルトクリーナユニット２４、および、複数（４つ）の転写ローラ１９を備えている。
【００６３】
駆動ローラ１６は、転写ユニット７の後端部に配置されている。
【００６４】
従動ローラ１７は、駆動ローラ１６の前側に間隔を隔てて対向配置されるように、転写ユニット７の前端部に配置されている。
【００６５】
搬送ベルト１８は、その上側部分がすべての感光ドラム１１と接触するように、駆動ローラ１６および従動ローラ１７の周りに巻回されている。搬送ベルト１８は、駆動ローラ１６の駆動、および、従動ローラ１７の従動により、その上側部分が前側から後側へ向かって移動するように、周回移動される。
【００６６】
ベルトクリーナユニット２４は、搬送ベルト１８の下側に配置され、側面視略矩形状の廃トナーボックス９６、廃トナーボックス９６内の上端に設けられるクリーニングローラ９７および掻き取りローラ９８を備えている。なお、後述するが、搬送ベルト１８の上の転写残トナーは、クリーニングローラ９７によってクリーニングされ、掻き取りローラ９８に掻き取られることにより、廃トナーボックス９６内に収容される。
【００６７】
複数の転写ローラ１９のそれぞれは、駆動ローラ１６と従動ローラ１７との間において、複数の感光ドラム１１のうちの１つに対応して設けられている。転写ローラ１９は、対応する感光ドラム１１の下側において、搬送ベルト１８の上側部分を挟んで対向配置されている。転写ローラ１９には、転写バイアスが印加される。
【００６８】
定着ユニット８は、転写ユニット７の後側に配置され、加熱ローラ２０、および、加熱ローラ２０に対向する加圧ローラ２１を備えている。
【００６９】
そして、プリンタ１の画像形成時には、現像カートリッジ１０内のトナーは、供給ローラ１４と現像ローラ１３との間で正極性に摩擦帯電され、層厚規制ブレード１５により、一定厚さの薄層として現像ローラ１３の表面に担持される。
【００７０】
一方、感光ドラム１１の表面には、感光ドラム１１の後上側に対向配置されるスコロトロン型帯電器１２によって一様に帯電された後、スキャナユニット５によって所定の画像データに基づいて露光されることにより、画像データに基づく静電潜像が形成される。そして、現像ローラ１３に担持されるトナーが感光ドラム１１の表面上の静電潜像に供給されることにより、感光ドラム１１の表面上にトナー像が担持される。
【００７１】
用紙Ｐは、本体ケーシング２の底部に設けられる給紙トレイ２２内に収容されており、各種ローラによって、後上側へＵターンするように搬送されて、所定のタイミングで１枚ずつ、感光ドラム１１と搬送ベルト１８との間に給紙される。そして、搬送ベルト１８によって、感光ドラム１１と転写ローラ１９との間を前側から後側に向かって搬送される。このとき、転写バイアスにより、用紙Ｐにトナー像が転写される。
【００７２】
そして、トナー像が転写された用紙Ｐは、加熱ローラ２０と加圧ローラ２１との間を通過するときに加熱および加圧される。このとき、用紙Ｐにトナー像が熱定着される。
【００７３】
その後、用紙Ｐは、前上側へＵターンするように搬送されて、本体ケーシング２の上面に設けられる排紙トレイ２３に排紙される。
２．感光体ユニットの構成
図２に示すように、感光体ユニット９は、１つのユニットフレーム２５と、複数（４つ）の感光ドラム１１と、複数（４つ）のサブユニット２６（図１参照）とを備えている。
（１）ユニットフレーム
ユニットフレーム２５は、上下方向が開放される平面視略矩形枠状に形成され、左右１対の側板３０と、フロントビーム２７と、リヤビーム２９とを備えている。
【００７４】
１対の側板３０は、互いに左右方向において間隔を隔てて対向配置されている。側板３０は、前後方向に長手の側面視略矩形状に形成されている。
【００７５】
フロントビーム２７は、左右に延びる略平板形状に形成され、１対の側板３０の前端間に架設されている。フロントビーム２７には、把持部２８が設けられている。
【００７６】
リヤビーム２９は、左右に延びる略平板形状に形成され、１対の側板３０の後端間に架設されている。
（２）感光ドラム
図１に示すように、複数の感光ドラム１１のそれぞれは、複数（４つ）の色（ブラック、イエロー、マゼンタ、シアン）のうちの１つに対応し、前後方向にほぼ等しい間隔を隔てて並列配置されている。詳しくは、複数の感光ドラム１１のそれぞれは、前側から後側へ向かって、ブラック感光ドラム１１Ｋ、イエロー感光ドラム１１Ｙ、マゼンタ感光ドラム１１Ｍ、シアン感光ドラム１１Ｃの順に並列配置されている。感光ドラム１１は、１対の側板３０の下端部間に回転自在に支持されている。感光ドラム１１の下側外周面は、ユニットフレーム２５から下方へ露出されている。
【００７７】
また、感光ドラム１１の左端部には、ドラムギヤ３５が設けられている（図６参照）。ドラムギヤ３５は、左右方向に延びる中心軸を有する略円板形状であり、その外周面にギヤ歯が形成されている。
３．サブユニットの構成
複数のサブユニット２６は、それぞれ、複数の感光ドラム１１のそれぞれに対応して設けられている。サブユニット２６は、感光ドラム１１の後上側に対向配置されている。詳しくは、複数のサブユニット２６のそれぞれは、前側から後側に向かって、ブラック感光ドラム１１Ｋに対向するブラックサブユニット２６Ｋ、イエロー感光ドラム１１Ｙに対向するイエローサブユニット２６Ｙ、マゼンタ感光ドラム１１Ｍに対向するマゼンタサブユニット２６Ｍ、シアン感光ドラム１１Ｃに対向するシアンサブユニット２６Ｃの順に並列配置されている。
【００７８】
なお、サブユニット２６において、１次ローラ３６、２次ローラ３７、掻取部材８１の支持に関する構成は、サブユニット２６の左端部と右端部とで同様の構成であるため、以下の説明では、左端部のみを説明し、右端部の説明を省略する。
【００７９】
なお、駆動力が伝達されるギヤ列に関する構成は、サブユニット２６の左端部に設けられている。また、電源からのバイアスが印加される電極に関する構成は、サブユニット２６の右端部に設けられている。それらに関する構成の詳細は省略する。
（１）ブラックサブユニットの構成
まず、ブラックサブユニット２６Ｋの構成について説明する。
【００８０】
ブラックサブユニット２６Ｋは、図３および図４に示すように、帯電ユニット３１と、クリーニングユニット３２とを備えている。
（１−１）帯電ユニット
帯電ユニット３１は、第１フレーム５２と、ダクトカバー６５と、スコロトロン型帯電器１２とを備えている。
【００８１】
第１フレーム５２は、図４および図６に示すように、感光ドラム１１およびクリーニングユニット３２の上側に配置され、感光ドラム１１に対して位置固定されている。
【００８２】
第１フレーム５２は、帯電器支持壁６３と、ダクト壁５３と、ローラ被覆壁５５とを備えている。
【００８３】
帯電器支持壁６３は、感光ドラム１１の後上側に間隔を隔てて対向配置されている。帯電器支持壁６３は、左右方向に延び、スコロトロン型帯電器１２を支持するために、感光ドラム１１の周方向（前後方向）において対向配置される１対の支持壁６３Ａおよび支持壁６３Ｂから形成されている。
【００８４】
ダクト壁５３は、左右方向に延びる平板形状を成し、側断面視において、前側の支持壁６３Ａの前下側から連続して、前側の支持壁６３Ａから離れ、上側へ延びるように形成されている。
【００８５】
ローラ被覆壁５５は、上被覆壁５６と押圧壁５７とを備えている。
【００８６】
上被覆壁５６は、左右方向に延びる平板形状を成し、側断面視において、後側の支持壁６３Ｂの後下側から連続して、後下側へ延びるように形成されている。
【００８７】
押圧壁５７は、図３および図６に示すように、上被覆壁５６の左右方向端部から下側へ向かって延びる側面視略矩形状に形成されている。押圧壁５７は、第１案内部の一例としての第１ガイド溝６４と、ばね支持溝６１と、２次ローラ受溝５８とを備えている。
【００８８】
第１ガイド溝６４は、押圧壁５７の上下方向略中央部前側から後上側に向かって、前下側（感光ドラム１１側および第２フレーム（後述）側）が開放された側面視略Ｌ字状に切り欠き形成されている。詳しくは、第１ガイド溝６４の内周面は、押圧壁５７の前端部から後側へ略平坦状に延びる上面９１と、押圧壁５７の前後方向略中央部において、下方に湾曲される第１湾曲面９２とから形成される。
【００８９】
ばね支持溝６１は、押圧壁５７の上下方向略中央において、第１ガイド溝６４の第１湾曲面９２に連通するように、前側が開放されるように後側へ向かって窪む側断面視略Ｕ字状に形成されている。ばね支持溝６１には、コイルばね４７が収容されている。
【００９０】
コイルばね４７は、前後方向に延びる螺旋形状に形成され、その前端部がばね支持溝６１から前側へ露出し、後端部がばね支持溝６１の後側内面に当接されている。
【００９１】
２次ローラ受溝５８は、第１ガイド溝６４の後下側に形成され、第１ガイド溝６４の下端部から上側に向かって、下側が開放される側面視略Ｕ字状に切り欠き形成されている。２次ローラ受溝５８の溝幅は、２次ローラ３７の外径より大きく形成されている。
【００９２】
ダクトカバー６５は、後側の支持壁６３Ｂの上端部と、ダクト壁５３の上端部とにわたって、それらの間を被覆するように左右方向に延びる略平板形状に形成されている。
【００９３】
そして、ダクト壁５３と、帯電器支持壁６３と、ダクトカバー６５とによって囲まれた空間が、ダクト６２として区画されている。
【００９４】
ダクト６２は、スコロトロン型帯電器１２から発生するオゾンを放出するために形成され、第１フレーム５２を左右方向において貫通している。
【００９５】
スコロトロン型帯電器１２は、１対の支持壁６３Ａおよび支持壁６３Ｂの間に嵌め込まれている。これによって、スコロトロン型帯電器１２は、上述したように、感光ドラム１１の後上側に間隔を隔てて対向配置されている。
【００９６】
帯電ユニット３１は、ユニットフレーム２５の１対の側板３０の間に架設されることで、感光ドラム１１に対して位置固定されている。
（１−２）クリーニングユニット
図４および図７に示すように、クリーニングユニット３２は、固定フレームの一例としての第２フレーム６７と、導光部材６８と、第３フレームおよび移動フレームの一例としてのカバーフレーム８０と、掻取部材８１と、第１回収部材の一例としての１次ローラ３６と、第２回収部材の一例としての２次ローラ３７とを備えている。
【００９７】
なお、２次ローラ３７および掻取部材８１は、回収部材を構成する。
【００９８】
第２フレーム６７は、感光ドラム１１の後側、かつ、帯電ユニット３１の下側に配置され、感光ドラム１１に対して位置固定されている。第２フレーム６７は、左右方向に延び、上側へ開放される平面視略矩形の有底枠形状に形成されている。第２フレーム６７は、フレーム底壁７４と、フレーム前壁７５と、フレーム後壁７６と、１対のフレーム側壁６９（図８（ａ）参照）とを備えている。
【００９９】
フレーム底壁７４は、前後左右に延びる略平板形状に形成されている。
【０１００】
フレーム前壁７５は、フレーム底壁７４の前端部から連続するように上方に向かって突出するように形成されている。フレーム前壁７５は側断面視略矩形状に形成され、凹部７９を一体的に備えている。
【０１０１】
凹部７９は、感光ドラム１１に向かって開放され、フレーム前壁７５の前端面から後側へ窪む側面視略Ｕ字状に形成されている。
【０１０２】
フレーム後壁７６は、フレーム底壁７４の後端部から連続するように上方に向かって突出するように形成されている。
【０１０３】
１対のフレーム側壁６９は、図７および図８（ａ）に示すように、フレーム底壁７４の左右方向端部から連続して上側に延び、前後方向に長手の側面視略矩形の平板形状に形成されている。
【０１０４】
フレーム側壁６９の後端部には、ボス穴７２が形成されている。
【０１０５】
ボス穴７２は、フレーム側壁６９を左右方向に貫通する側面視円形状に形成されている。ボス穴７２の直径は、ボス軸８５（後述）の直径よりも、わずかに大きく形成されている。
【０１０６】
また、フレーム側壁６９は、台座部７０を備えている。
【０１０７】
台座部７０は、ボス穴７２の前側において、フレーム側壁６９の左右方向外側面から外側に向かって突出するように形成されている。
【０１０８】
台座部７０は、立設部７３と、ローラ支持部７１（図６参照）とを備えている。
【０１０９】
立設部７３は、台座部７０の左右方向内側端部の上面に形成されている。立設部７３は、上方に突出する側面視略矩形状に形成されている。立設部７３の前面は、上側に向かうに従って後側に傾斜するように形成されている。
【０１１０】
ローラ支持部７１は、第１ガイド溝６４の下側、かつ、立設部７３の前側に形成されている。ローラ支持部７１は、台座部７０の上面から上方に突出する側断面視矩形状に形成されている。ローラ支持部７１の上端部には、第２ガイド溝７７が形成されている。
【０１１１】
第２ガイド溝７７は、図７に示すように、ローラ支持部７１の上端部から前下側に向かって、後上側（感光ドラム１１の反対側および第１フレーム側）が開放された側面視略Ｌ字状に切り欠き形成されている。詳しくは、第２ガイド溝７７の内周面は、ローラ支持部７１の後端部から前側へ略平坦状に延びる下面９３と、ローラ支持部７１の前端部において、上方に湾曲される第２湾曲面９４とから形成される。
【０１１２】
導光部材６８は、図４に示すように、透明なガラスまたは樹脂から、左右方向に長手の棒状に形成され（図３参照）、その左右方向長さは、感光ドラム１１の外周面の左右方向長さよりも長く形成されている。導光部材６８は、前面が湾曲された側断面視略Ｄ字状に形成されている。
【０１１３】
導光部材６８は、凹部７９内に、嵌合されている。導光部材６８の前面は、凹部７９から前側へ露出され、感光ドラム１１の後下側端部の後側に間隔を隔てて配置されている。
【０１１４】
図８に示すように、カバーフレーム８０は、左右方向に延び、下方に向かって開放される平面視略矩形の略枠形状に形成され、後下側へ傾斜するように延びている。
【０１１５】
カバーフレーム８０は、下被覆壁８８と、カバー後壁８９と、１対のカバー側壁８３とを備えている。
【０１１６】
下被覆壁８８は、左右方向に延びる略平板形状に形成され、後下側へ傾斜する側断面視略クランク形状に形成されている。
【０１１７】
また、下被覆壁８８の前側には、取付部８６が形成されている。
【０１１８】
取付部８６は、前下側が開放された側断面視略Ｌ字状に形成されている。
【０１１９】
カバー後壁８９は、下被覆壁８８の後端部から連続して、下側に向かって延びるように形成されている。カバー後壁８９には、遊嵌溝８７が形成されている。
【０１２０】
遊嵌溝８７は、カバー後壁８９の下端縁から、上側に向かって窪む側断面視略Ｕ字状に形成されている。
【０１２１】
１対のカバー側壁８３は、それぞれ下被覆壁８８およびカバー後壁８９の左右方向端部に連続するように、前後方向に延びる側面視略三角形の平板形状に形成されている。カバー側壁８３の前端部には、連結部材受溝８４が形成されている。また、カバー側壁８３の後端部には、ボス軸８５が設けられている。
【０１２２】
連結部材受溝８４は、カバー側壁８３の前端部から後方に向かって、前側が開放される側面視略Ｃ字状に切り欠き形成されている。連結部材受溝８４は、第２挿通部４８（後述）を受け入れ可能に形成されている。
【０１２３】
ボス軸８５は、カバー側壁８３の後端部において、カバー側壁８３の左右方向外面から突出する略円柱形状に形成されている。
【０１２４】
そして、カバーフレーム８０は、ボス軸８５が第２フレーム６７のボス穴７２に挿通されるとともに、遊嵌溝８７に、第２フレーム６７のフレーム後壁７６が遊嵌されるように、第２フレーム６７に支持されている。
【０１２５】
これにより、カバーフレーム８０は、ボス軸８５の中心軸線を中心として、遊嵌溝８７とフレーム後壁７６との遊びの分、揺動可能に支持されている。
【０１２６】
そして、クリーニングユニット３２において、第２フレーム６７とカバーフレーム８０とによって区画された空間として、収容部の一例としての貯留室８２が形成される。
【０１２７】
図４に示すように、掻取部材８１は、スポンジから、左右方向に延びる側断面視略矩形状に形成されている。掻取部材８１は、カバーフレーム８０の下被覆壁８８の取付部８６に支持されている。
【０１２８】
図５および図６に示すように、１次ローラ３６は、ローラ軸３８と、スポンジローラ３９とを備えている。
【０１２９】
ローラ軸３８は、金属から形成され、左右方向に延びる略円柱形状（図４参照）に形成されている。
【０１３０】
スポンジローラ３９は、ローラ軸３８の左右両端部が露出するように、ローラ軸３８を被覆するように設けられている。
【０１３１】
また、１次ローラ３６の左端部には、１次ギヤ４０が設けられている。
【０１３２】
１次ギヤ４０は、左右方向に延びる中心軸を有する略円筒形状（図８（ａ）参照）であり、その外周面にギヤ歯が形成されている。
【０１３３】
２次ローラ３７は、金属から形成され、左右方向に延びる略円柱形状（図８（ｂ）参照）に形成されている。
【０１３４】
なお、１次ローラ３６の左右方向長さと、２次ローラ３７の左右方向長さとは、ほぼ同じである。
【０１３５】
２次ローラ３７の左端部には、２次ギヤ４１が設けられている。
【０１３６】
２次ギヤ４１は、左右方向に延びる中心軸を有する略円筒形状（図８（ａ）参照）であり、その外周面にギヤ歯が形成されている。２次ギヤ４１は、１次ギヤ４０に噛合している。
【０１３７】
また、図５および図８（ｂ）に示すように、１次ローラ３６および２次ローラ３７の左右方向端部は、連結部材４５によって、それらを接触状態に保つように、回転自在に連結されている。
【０１３８】
連結部材４５は、第１挿通部４６と、第２挿通部４８と、第１挿通部４６と第２挿通部４８とを連結する連結部４９とを一体的に備えている。
【０１３９】
第１挿通部４６は、左右方向に延びる略円筒形状に形成されている。第１挿通部４６の内径は、ローラ軸３８の外径よりもわずかに大きく形成されている。
【０１４０】
第２挿通部４８は、左右方向に延びる略円筒形状に形成されている。第２挿通部４８の内径は、２次ローラ３７の外径よりもわずかに大きく形成されている。
【０１４１】
連結部４９は、略杆形状に形成され、その一端部が、第１挿通部４６の下側外周面の左右方向内側に連結され、その他端部が、第２挿通部４８の上側外周面の左右方向外側に連結されている。これにより、第１挿通部４６の左右方向外側端部は、第２挿通部４８より、左右方向外側に配置され、第２挿通部４８の左右方向内側端部は、第１挿通部４６より、左右方向内側に配置されている。
【０１４２】
連結部材４５の第１挿通部４６には、１次ギヤ４０とスポンジローラ３９との間において、１次ローラ３６のローラ軸３８の左端部が、相対回転可能に挿通されている。
【０１４３】
連結部材４５の第２挿通部４８には、２次ローラ３７の２次ギヤ４１よりも右側において、２次ローラ３７の左端部が相対回転可能に挿通されている。
【０１４４】
これにより、１次ローラ３６のスポンジローラ３９と、２次ローラ３７とが、接触状態で保持されている。また、２次ローラ３７の２次ギヤ４１と、１次ローラ３６の１次ギヤ４０とが噛合された状態で保持されている。
【０１４５】
そして、連結部材４５の第２挿通部４８は、その左右方向内側端部（連結部４９よりも左右方向内側）において、カバーフレーム８０の連結部材受溝８４内に、相対回転可能に嵌合されている。これにより、２次ローラ３７は、掻取部材８１に前側から接触されている（図４参照）。
【０１４６】
また、２次ローラ３７は、図８（ａ）に示すように、第２挿通部４８を介して、第２フレーム６７の立設部７３に前側から接触されている。
【０１４７】
また、図８（ｂ）に示すように、連結部材４５の第１挿通部４６は、その左右方向外側端部（連結部４９よりも左右方向外側）において、第２フレーム６７の第２ガイド溝７７内に、相対回転可能に嵌合されている。すなわち、１次ローラ３６は、第２ガイド溝７７内に嵌合されている（図６参照）。
【０１４８】
そして、クリーニングユニット３２は、帯電ユニット３１の下側、かつ、感光ドラム１１の後側において、ユニットフレーム２５の１対の側板３０の間に架設されている。
【０１４９】
これによって、第２ガイド溝７７は、図７に示すように、それに対応する第１ガイド溝６４とともに、１次ローラ３６が挿通される第１挿通部４６の移動を案内する挿通部ガイド７８として区画される。詳しくは、挿通部ガイド７８は、第１ガイド溝６４の上面９１および第１湾曲面９２と、第２ガイド溝７７の下面９３および第２湾曲面９４とから区画される。
【０１５０】
このように区画された挿通部ガイド７８は、前後方向（１次ローラ３６の感光ドラム１１に対する接触方向）に長手の長穴形状に形成され、その上下方向の幅（上面９１と下面９３との間隔）は、第１挿通部４６の外周直径よりわずかに大きく形成され、その前後方向長さ（第１湾曲面９２と第２湾曲面９４との間隔）は、上下方向の幅よりも長く形成されている。そのため、１次ローラ３６は第１挿通部４６を介して、第１ガイド溝６４と第２ガイド溝７７とに挟まれるように、挿通部ガイド７８に前後方向に移動可能に設けられている。すなわち、１次ローラ３６の下側に対向配置される第２フレーム６７の第２ガイド溝７７は、それに対応する１次ローラ３６の上側に対向配置される第１フレーム５２の第１ガイド溝６４とともに、１次ローラ３６の移動を案内する。
【０１５１】
そして、図８（ｂ）に示すように、１次ローラ３６のスポンジローラ３９は、感光ドラム１１に後側から接触されている。また、１次ローラ３６の１次ギヤ４０が、感光ドラム１１のドラムギヤ３５の後側から噛合されている。
【０１５２】
２次ローラ３７は、図７に示すように、第１フレーム５２の２次ローラ受溝５８に上下前後に移動可能に受け入れられている。
【０１５３】
第１挿通部４６は、コイルばね４７の前端部に前側から当接されている。これにより、１次ローラ３６は、常に感光ドラム１１に向けて付勢されている。
（２）ブラック以外のサブユニットの構成
図１に示すように、イエローサブユニット２６Ｙ、マゼンタサブユニット２６Ｍ、シアンサブユニット２６Ｃは、カバーフレーム８０、掻取部材８１、２次ローラ３７を備えておらず、そのため、貯留室８２を備えていない以外はブラックサブユニット２６Ｋと同様に構成されている。
４．１次ローラの感光ドラムに対する位置決め
次に、ブラックサブユニット２６Ｋにおける、１次ローラ３６の感光ドラム１１に対する位置決めについて説明する。
【０１５４】
感光ドラム１１および１次ローラ３６の部品精度や、摩耗によるスポンジローラ３９の小径化、外部の環境（温度、湿度など）によるスポンジローラ３９の膨張または収縮などに起因して、感光ドラム１１に対するスポンジローラ３９の接触状態が変化する場合がある。
【０１５５】
具体的には、スポンジローラ３９の直径が小径化すると、図９（ａ）および図１０（ａ）に示すように、ローラ軸３８は、コイルばね４７の付勢力により、挿通部ガイド７８に案内されながら、前側に向かって移動される。すると、２次ローラ３７は、連結部材４５を介して、前上側へ引っ張られるとともに、２次ローラ受溝５８に案内されて、後上側へ移動する。このように２次ローラ３７が移動すると、カバーフレーム８０がボス軸８５を支点として、左側から見て、反時計回りに揺動する。
【０１５６】
また、スポンジローラ３９の直径が大径化すると、図９（ｂ）および図１０（ｂ）に示すように、ローラ軸３８は、コイルばね４７の付勢力に対抗して、挿通部ガイド７８に案内されながら、後側に向かって移動される。すると、２次ローラ３７は、連結部材４５を介して、前下側へ押されるとともに、２次ローラ受溝５８に案内されて、前下側へ移動する。このように２次ローラ３７が移動すると、カバーフレーム８０がボス軸８５を支点として、左側から見て、時計回りに揺動する。
【０１５７】
このとき、第２フレーム６７は感光ドラム１１に対して固定された状態に保たれる。
５．サブユニットの動作
次に、サブユニット２６の動作について説明する。
（１）ブラックサブユニットの動作
まず、ブラックサブユニット２６Ｋの動作について説明する。
【０１５８】
上述した画像形成動作が実施されると、感光ドラム１１のドラムギヤ３５に、本体ケーシング２の図示しない駆動源（モータ）から駆動力が伝達される。すると、感光ドラム１１は、右側から見て反時計回りに回転する。また、その駆動力が、ドラムギヤ３５に噛合している１次ローラ３６の１次ギヤ４０（図８（ａ）参照）に、伝達される。これにより、１次ローラ３６は、右側から見て時計回りに回転する。さらに、その駆動力が、１次ギヤ４０に噛合している２次ローラ３７の２次ギヤ４１（図８（ａ）参照）に、伝達される。これにより、２次ローラ３７は、右側から見て反時計回りに回転する。
【０１５９】
また、本体ケーシング２の電源（図示せず）から、１次ローラ３６に対して、１次クリーニングバイアスが印加され、２次ローラ３７には、２次クリーニングバイアスが印加される。
【０１６０】
また、導光部材６８は、本体ケーシング２内の光源（図示せず）からの光を、導光部材６８に対向した感光ドラム１１の表面の左右方向全域にわたって照射する。
【０１６１】
上述した画像形成動作によって、感光ドラム１１の表面に担持されたトナー像が用紙Ｐに転写されるとき、感光ドラム１１の用紙Ｐに接触する部分には、用紙Ｐからの紙粉や、用紙Ｐへのトナー像の転写後に感光ドラム１１の表面に転写残トナーが残留する場合がある。
【０１６２】
そして、感光ドラム１１の回転に伴なって、感光ドラム１１の用紙Ｐに接触した部分は、導光部材６８に対して前から対向する。すると、感光ドラム１１の表面が、導光部材６８からの光によって、左右方向全域にわたって露光され、残留電荷が除去される。
【０１６３】
そして、感光ドラム１１の表面において、残留電荷が除去された部分は、その後、感光ドラム１１の回転によって、１次ローラ３６に接触する。
【０１６４】
すると、これらの紙粉および転写残トナーは、１次クリーニングバイアスによって、１次ローラ３６のスポンジローラ３９の表面に捕捉（回収）される。
【０１６５】
その後、１次ローラ３６の表面上の付着物は、１次ローラ３６の回転に伴なって２次ローラ３７の表面に対向したときに、２次クリーニングバイアスによって２次ローラ３７の表面に捕捉（回収）される。
【０１６６】
２次ローラ３７に捕捉され、２次ローラ３７の表面に付着した付着物は、２次ローラ３７の回転に伴なって掻取部材８１に対向したときに、掻取部材８１によって２次ローラ３７の表面から掻き取られて落下し、貯留室８２に収容される。
（２）ブラック以外のサブユニットの動作
次に、イエローサブユニット２６Ｙ、マゼンタサブユニット２６Ｍ、シアンサブユニット２６Ｃの動作について説明する。
【０１６７】
上記したブラックサブユニット２６Ｋよりも後側にあるイエローサブユニット２６Ｙ、マゼンタサブユニット２６Ｍ、シアンサブユニット２６Ｃでは、主に転写残トナーのみが感光ドラム１１の表面に残留する。感光ドラム１１の表面に残留した転写残トナーは、１次ローラ３６と対向したときに、１次クリーニングバイアスによって、１次ローラ３６のスポンジローラ３９の表面に捕捉（回収）され、スポンジローラ３９の表面に保持される。
【０１６８】
なお、用紙Ｐにトナー像が転写されないタイミングにおいて、必要に応じて転写残トナーが、１次ローラ３６から感光ドラム１１を介して搬送ベルト１８に吐き出され、転写ユニット７の下側のベルトクリーナユニット２４によって回収される。
６．作用効果
（１）このプリンタ１および感光体ユニット９によれば、図６および図７に示すように、第１フレーム５２の第１ガイド溝６４と、第２フレーム６７の第２ガイド溝７７とによって、１次ローラ３６の移動を案内することができる。
【０１６９】
そのため、１次ローラ３６の移動を案内するための部材を別途設けることなく、第１フレーム５２および第２フレーム６７を利用して１次ローラ３６の移動を案内できる。
【０１７０】
その結果、プリンタ１および感光体ユニット９の部品点数の低減を図ることができる。
（２）また、このプリンタ１および感光体ユニット９によれば、図７に示すように、導光部材６８を備える第２フレーム６７の第２ガイド溝７７を利用して、１次ローラ３６を案内することができる。
【０１７１】
そのため、導光部材６８を支持する部材と、１次ローラ３６の移動を案内する部材とを別々に設ける構成と比べて、プリンタ１および感光体ユニット９の部品点数の低減を図ることができる。
（３）また、このプリンタ１および感光体ユニット９によれば、図４および図９に示すように、１次ローラ３６の表面の付着物を、２次ローラ３７によって回収し、２次ローラ３７の表面の付着物を、掻取部材８１によって回収することができる。
【０１７２】
そのため、１次ローラ３６の表面に付着した付着物が、再度、感光ドラム１１に付着することを防止することができる。
【０１７３】
その結果、１次ローラ３６によって、感光ドラム１１の表面に付着した付着物を確実に回収することができる。
（４）また、このプリンタ１および感光体ユニット９によれば、図４に示すように、カバーフレーム８０が第２フレーム６７に組み付けられることで貯留室８２が区画される。
【０１７４】
そのため、第２フレーム６７にカバーフレーム８０を組み付けるだけで、貯留室８２を効率よく構成することができ、貯留室８２を構成するための部材を別途設けることなく、第２フレーム６７とカバーフレーム８０を利用して貯留室８２を区画することができる。
（５）また、このプリンタ１および感光体ユニット９によれば、図９に示すように、カバーフレーム８０は、第２フレーム６７に対して揺動可能に支持される。
【０１７５】
そのため、２次ローラ３７および掻取部材８１を、１次ローラ３６の移動に追従させることができる。
【０１７６】
また、カバーフレーム８０が第２フレーム６７に対して揺動するので、第２フレーム６７を感光ドラム１１に対して位置固定することができる。
【０１７７】
これにより、２次ローラ３７が、１次ローラ３６に追従することで、カバーフレーム８０が揺動しても、第２フレーム６７を感光ドラム１１に対して位置固定しておけば、導光部材６８も、感光ドラム１１に対して位置固定することができる。
【０１７８】
その結果、導光部材６８によって、電荷を除去するための光を確実に感光ドラム１１の表面に導くことができる。
（６）また、このプリンタ１および感光体ユニット９によれば、図９および図１０に示すように、２次ローラ３７および掻取部材８１を支持するカバーフレーム８０が、導光部材６８を支持する第２フレーム６７に対して相対移動可能に支持されている。
【０１７９】
一方、１次ローラ３６、２次ローラ３７および掻取部材８１が、導光部材６８と同じフレームに取り付けられると、１次ローラ３６、２次ローラ３７および掻取部材８１の感光ドラム１１に対する追従により、導光部材６８も追従し、導光部材６８を感光ドラム１１に対して位置固定することができない。
【０１８０】
しかし、この感光体ユニット９では、導光部材６８は、感光ドラム１１に対して位置固定される第２フレーム６７に支持されている。
【０１８１】
そのため、カバーフレーム８０の相対移動によって、１次ローラ３６、２次ローラ３７および掻取部材８１を、感光ドラム１１の回転に対して追従させることができながら、導光部材６８を感光ドラム１１に対して位置固定することができる。
【０１８２】
その結果、１次ローラ３６、２次ローラ３７および掻取部材８１によって、感光ドラム１１の表面に付着した付着物を回収でき、導光部材６８によって、電荷を除去するための光を確実に感光ドラム１１の表面に導くことができる。
【０１８３】
従って、１次ローラ３６、２次ローラ３７および掻取部材８１によって、感光ドラム１１の表面に付着した付着物を確実に回収できながら、導光部材６８によって、電荷を除去するための光を確実に感光ドラム１１の表面に導くことができ、感光ドラム１１の表面の電荷を均一に除去することができる。
（７）また、このプリンタ１および感光体ユニット９によれば、図１０に示すように、挿通部ガイド７８が接触方向に沿って長く区画されているため、１次ローラ３６を、前後方向（１次ローラ３６の感光ドラム１１に対する接触方向）において移動可能に、挿通部ガイド７８に収容することができる。
【０１８４】
そのため、１次ローラ３６の移動を案内するための部材を別途設けることなく、第１フレーム５２および第２フレーム６７に形成される切り欠きから区画される挿通部ガイド７８を利用して１次ローラ３６の前後方向における移動を案内できる。
【０１８５】
その結果、部品点数の低減を図ることができながら、前後方向における１次ローラ３６の安定した移動を確保することができる。
（８）また、このプリンタ１および感光体ユニット９によれば、図４および図９に示すように、凹部７９は第２フレーム６７に一体的に形成される。
【０１８６】
そのため、導光部材６８を支持するための部材を別途設ける場合と比べて、部品点数の低減を図ることができながら、第２フレーム６７によって、導光部材６８を確実に支持することができる。
（９）また、このプリンタ１および感光体ユニット９によれば、図４および図９に示すように、カバーフレーム８０の後側（一端側）が、第２フレーム６７に揺動可能に支持されている。
【０１８７】
そのため、第１フレーム５２および第２フレーム６７を感光ドラム１１に対して位置固定させた状態で、カバーフレーム８０を揺動させることができる。
【０１８８】
その結果、第１フレーム５２の第１ガイド溝６４、および、第２フレーム６７の第２ガイド溝７７から区画される挿通部ガイド７８を位置固定させることができ、挿通部ガイド７８に収容される１次ローラ３６の安定した移動を確保することができる。
【０１８９】
しかも、カバーフレーム８０の前側（他端側）に備えられる２次ローラ３７と掻取部材８１とを１次ローラ３６の揺動に対して、追従させることができる。
（１０）また、このプリンタ１および感光体ユニット９によれば、図９に示すように、１次ローラ３６と、２次ローラ３７とは、連結部材４５により常に接触状態に保たれるとともに、２次ローラ３７は、掻取部材８１とともにカバーフレーム８０に掻取部材８１と接触するように支持されている。
【０１９０】
そのため、常に、１次ローラ３６は２次ローラ３７と接触し、２次ローラ３７は掻取部材８１と接触している。
【０１９１】
その結果、１次ローラ３６の表面に付着した紙粉や転写残トナーといった付着物を、確実に掻取部材８１により掻き取ることができる。
【符号の説明】
【０１９２】
１    プリンタ
９    感光体ユニット
１１    感光ドラム
３６    １次ローラ
３７    ２次ローラ
４５    連結部材
５２    第１フレーム
６６    第１ガイド溝
６７    第２フレーム
６８    導光部材
７７    第２ガイド溝
７８    挿通部ガイド
７９    凹部
８０    カバーフレーム
８１    掻取部材
８２    貯留室
【図１】
2013182009.tif 000003
【図２】
2013182009.tif 000004
【図３】
2013182009.tif 000005
【図４】
2013182009.tif 000006
【図５】
2013182009.tif 000007
【図６】
2013182009.tif 000008
【図７】
2013182009.tif 000009
【図８】
2013182009.tif 000010
【図９】
2013182009.tif 000011
【図１０】
2013182009.tif 000012